(57)【要約】【課題】安定して積み重ねることができるボトルを提供する。【解決手段】口部１１、肩部１２、胴部１３および底部１４がボトル軸Ｏ方向に沿って順に連設されたボトル１Ａ、１Ｂであって、口部１１にはキャップ３９が装着され、底部１４の底壁部２２は、外周縁部に位置する接地部２４と、ボトル軸Ｏ上に位置するとともに上方へ向けて窪み、当該ボトル１Ａとは異なる他のボトル１Ｂのキャップ３９および肩部１２が内部に進入可能な陥没部２５と、を備え、陥没部２５は、他のボトル１Ｂのキャップ３９が内部に収容される上側陥没部２５Ｂと、他のボトルの肩部の一部が内部に配置される下側陥没部２５Ａと、を備え、下側陥没部２５Ａの内周面には、他のボトル１Ｂにおける肩部１２の外周面に形成された雄ねじ部３に螺着可能な雌ねじ部２が形成されている。【選択図】図３
2017154759.tif 000002
【特許請求の範囲】
【請求項１】
口部、肩部、胴部および底部がボトル軸方向に沿って順に連設されたボトルであって、
前記口部にはキャップが装着され、
前記底部の底壁部は、外周縁部に位置する接地部と、ボトル軸上に位置するとともに上方へ向けて窪み、当該ボトルとは異なる他のボトルの前記キャップおよび前記肩部が内部に進入可能な陥没部と、を備え、
前記陥没部は、前記他のボトルの前記キャップが内部に収容される上側陥没部と、前記他のボトルの前記肩部の一部が内部に配置される下側陥没部と、を備え、
前記下側陥没部の内周面には、前記他のボトルにおける前記肩部の外周面に形成された雄ねじ部に螺着可能な雌ねじ部が形成されていることを特徴とするボトル。
【請求項２】
前記雄ねじ部および前記雌ねじ部は、多条ねじであることを特徴とする請求項１に記載のボトル。
【請求項３】
前記肩部は、前記胴部の上端部からボトル径方向の内側に延びる下肩部と、前記下肩部の内周縁部から上方に向けて延びる段筒部と、を備え、
前記下側陥没部は、前記接地部から上方に向けて延びる立ち上がり壁部を備え、
前記段筒部の外周面に前記雄ねじ部が形成され、前記立ち上がり壁部の内周面に前記雌ねじ部が形成されていることを特徴とする請求項１または２に記載のボトル。
【発明の詳細な説明】
【技術分野】
【０００１】
この発明は、積み重ね可能なボトルに関する。
【背景技術】
【０００２】
この種のボトルとして、例えば下記特許文献１に記載の構成が知られている。
【先行技術文献】
【特許文献】
【０００３】
【特許文献１】実開昭５３−１４８７５８号公報
【発明の概要】
【発明が解決しようとする課題】
【０００４】
しかしながら、前記従来のボトルでは、積み重ねられた上下一対のボトルに対してボトル径方向（横方向）に相対的に変位するような外力（横力）が加えられたときに、崩れ易いという問題があった。
【０００５】
本発明は前述した事情に鑑みてなされたものであって、安定して積み重ねることができるボトルを提供することを目的とする。
【課題を解決するための手段】
【０００６】
上記の課題を解決するために、本発明に係るボトルは、口部、肩部、胴部および底部がボトル軸方向に沿って順に連設されたボトルであって、前記口部にはキャップが装着され、前記底部の底壁部は、外周縁部に位置する接地部と、ボトル軸上に位置するとともに上方へ向けて窪み、当該ボトルとは異なる他のボトルの前記キャップおよび前記肩部が内部に進入可能な陥没部と、を備え、前記陥没部は、前記他のボトルの前記キャップが内部に収容される上側陥没部と、前記他のボトルの前記肩部の一部が内部に配置される下側陥没部と、を備え、前記下側陥没部の内周面には、前記他のボトルにおける前記肩部の外周面に形成された雄ねじ部に螺着可能な雌ねじ部が形成されていることを特徴とする。
【０００７】
この発明によれば、ボトルを他のボトル上に積み重ねる際に、ボトルの陥没部内に、他のボトルのキャップ、口部、および肩部を進入させるだけでなく、下側陥没部内に、他のボトルの肩部を螺着することも可能になり、一対のボトルのボトル径方向への相対的な移動を効果的に規制することができる。したがって、積み重ねられたボトルが崩れるのを抑制することが可能になり、ボトルを安定して積み重ねることができる。
【０００８】
また、前記雄ねじ部および前記雌ねじ部を、多条ねじとしてもよい。
【０００９】
この場合、雄ねじ部および雌ねじ部が多条ねじであるため、例えば、雄ねじ部および雌ねじ部が互いに螺合する周方向に沿う距離を短くすることで、下側陥没部内に対して他のボトルの肩部を着脱する際の相対的な両ボトルの回転移動量を少なくした場合であっても、下側陥没部内に他のボトルの肩部を強固に螺着させることができる。
【００１０】
また、前記肩部は、前記胴部の上端部からボトル径方向の内側に延びる下肩部と、前記下肩部の内周縁部から上方に向けて延びる段筒部と、を備え、前記下側陥没部は、前記接地部から上方に向けて延びる立ち上がり壁部を備え、前記段筒部の外周面に前記雄ねじ部が形成され、前記立ち上がり壁部の内周面に前記雌ねじ部が形成されていてもよい。
【００１１】
この場合、立ち上がり壁部が接地部から上方に向けて延び、段筒部が下肩部から上方に向けて延びており、いずれもボトル軸方向に延びているので、ボトルを他のボトル上に積み重ねた状態で、立ち上がり壁部の内周面を、他のボトルの段筒部の外周面と、ボトル径方向に対向させることが可能になる。
このため、積み重ねられた上下一対のボトルに対して、ボトル径方向（横方向）に相対的に変位するような外力（横力）が加えられたときに、立ち上がり壁部の内周面と、他のボトルの段筒部の外周面と、がボトル径方向に突き当たることで、一対のボトルのボトル径方向への相対的な移動をより一層確実に規制することができる。
【発明の効果】
【００１２】
本発明によれば、複数のボトルを安定して積み重ねることができる。
【図面の簡単な説明】
【００１３】
【図１】本発明の第１実施形態に係るボトルの斜視図である。
【図２】図１に示すボトルを積み重ねる際の一部拡大斜視図である。
【図３】図１に示すボトルを積み重ねた状態における一部拡大断面図である。
【発明を実施するための形態】
【００１４】
以下、図１から図３を参照し、本発明の一実施形態に係るボトルを説明する。
図１から図３に示すように、ボトル１は、口部１１、肩部１２、胴部１３および底部１４を備え、これらがそれぞれの中心軸線を共通軸上に位置した状態でこの順に連設された概略構成とされている。ボトル１は、例えば、射出成形により有底筒状に形成された合成樹脂材料からなるプリフォームが、ブロー成形されることで形成されている。
【００１５】
以下、上述した共通軸をボトル軸Ｏといい、ボトル軸Ｏ方向に沿って口部１１側を上側、底部１４側を下側という。また、ボトル１をボトル軸Ｏ方向から見た平面視において、ボトル軸Ｏに直交する方向をボトル径方向といい、ボトル軸Ｏ回りに周回する方向をボトル周方向という。なお、図１に示すように、ボトル１をボトル軸Ｏ方向の上側から見た上面視において、口部１１、肩部１２、および胴部１３は、円形状とされている。また、ボトル１をボトル軸Ｏ方向の下方から見た下面視において、底部１４は円形状とされている。
【００１６】
図１に示すように、胴部１３は、ボトル軸Ｏ方向に沿って延びる筒状に形成されている。
胴部１３のうち、上端部１３ａおよび下端部１３ｂは、互いに同じ外径に形成されるとともに、上端部１３ａと下端部１３ｂとの間に位置する中間部１３ｃより外径が大きくなっている。胴部１３の中間部１３ｃには、ボトル周方向に全周にわたって延びる中央環状凹溝２３ａが、ボトル軸Ｏ方向に間隔をあけて複数形成されている。
【００１７】
胴部１３の中間部１３ｃには、ボトル軸Ｏ方向に延びる帯状の平坦部１３ｄが複数形成され、各平坦部１３ｄは、稜線部１３ｅを介してボトル周方向に接続されている。平坦部１３ｄは、胴部１３の中間部１３ｃにおけるボトル軸Ｏ方向の全長にわたって延在し、全周にわたって稜線部１３ｅを介して複数連ねられて配置されている。
平坦部１３ｄは、下方から上方に向かうに従い漸次、ボトル軸Ｏ回りに沿い、後述する固定用雄ねじ部３および固定用雌ねじ部２の緩み側から締め込み側に向けて延びている。
下端部１３ｂのボトル軸Ｏ方向の中央部には、全周にわたって連続して延びる下環状凹溝２３ｂが形成されている。
【００１８】
図３に示すように、底部１４は、有底筒状に形成されている。底部１４は、上端開口部が胴部１３の下端開口部に接続された筒状のヒール部２１と、ヒール部２１の下端開口部を閉塞する接地可能な底壁部２２と、を備えている。
ヒール部２１の上端部は、胴部１３の下端部１３ｂに接続されるとともに、下方に向かうに従い漸次縮径している。ヒール部２１の下端部は、下方に向かうに従い漸次縮径し、底壁部２２の外周縁部に接続されている。
【００１９】
底壁部２２は、外周縁部に位置する接地部２４と、ボトル軸Ｏ上に位置するとともに上方へ向けて窪む陥没部２５と、を備えている。
接地部２４は、全周にわたって延びている。接地部２４は、ボトル軸Ｏに直交する水平面に沿って延びている。
【００２０】
陥没部２５は、ボトル軸Ｏと同軸に配置されている。陥没部２５は、下側陥没部２５Ａと、上側陥没部２５Ｂと、を備えている。下側陥没部２５Ａは、上側陥没部２５Ｂよりも大径であり、上側陥没部２５Ｂよりもボトル軸Ｏ方向に浅くなっている。下側陥没部２５Ａは、下環状凹溝２３ｂよりも下方に位置している。上側陥没部２５Ｂの上端縁は、ヒール部２１の上端部よりも上方に位置している。
【００２１】
ボトル軸Ｏ方向から見た下面視において、下側陥没部２５Ａは円形状となっている。図３に示すように、下側陥没部２５Ａは、接地部２４の内周縁部から上方に向けて延びる立ち上がり壁部２７と、立ち上がり壁部２７の上端部からボトル径方向の内側に向けて延びる連結壁部２８と、を備えている。
【００２２】
立ち上がり壁部２７は、ボトル軸Ｏ方向に延びる筒状に形成されている。図示の例では、ボトル軸Ｏに沿う縦断面視において、立ち上がり壁部２７は、ボトル軸Ｏと平行に延びている。なお、立ち上がり壁部２７は、ボトル軸Ｏに対して傾斜して延びていてもよい。
立ち上がり壁部２７の内周面には、固定用雌ねじ部（雌ねじ部）２が形成されている。固定用雌ねじ部２は、立ち上がり壁部２７の内周面に形成された複数の螺旋係合部２７ａにより構成されている。螺旋係合部２７ａは、ボトル径方向の内側に向けて突出し、ボトル軸Ｏ回りに螺旋状に延びている。
【００２３】
図１および図２に示すように、複数の螺旋係合部２７ａは、立ち上がり壁部２７の内周面に、ボトル周方向に間隔を空けて配置されており、固定用雌ねじ部２は多条ねじとなっている。すなわち、複数の螺旋係合部２７ａは、立ち上がり壁部２７の内周面における、ボトル軸Ｏ方向に沿う同じ位置に全て配置される。
図示の例では、螺旋係合部２７ａはボトル周方向に等間隔をあけて４つ形成されており、ボトル軸Ｏ方向から見た平面視において、螺旋係合部２７ａのボトル周方向に沿う長さは、互いに隣接する螺旋係合部２７ａ同士のボトル周方向の間隔よりも大きくなっている。
なお、螺旋係合部２７ａのボトル周方向に沿う長さは、互いに隣接する螺旋係合部２７ａ同士のボトル周方向の間隔と同等以下でもよい。
【００２４】
連結壁部２８は、ボトル軸Ｏ方向に開口する環状に形成されている。連結壁部２８は、ボトル径方向の内側に向かうに従い漸次、上側に向けて延びている。図示の例では、ボトル軸Ｏ方向に沿う縦断面視において、連結壁部２８は、水平面に対して傾斜しているが、水平面と平行に延びていてもよい。
【００２５】
上側陥没部２５Ｂは、下側陥没部２５Ａから上方に向けて延び、上方に向かうに従い漸次縮径するテーパ壁部２９と、テーパ壁部２９の上端部からボトル軸Ｏ方向に沿って上方に向けて延びるストレート壁部３０と、ストレート壁部３０の上端開口部を閉塞する天壁部３１と、を備えている。ボトル軸Ｏ方向に沿う下面視において、テーパ壁部２９、ストレート壁部３０、および天壁部３１は、円形状である。
【００２６】
図３に示すように、テーパ壁部２９は、連結壁部２８の内周縁部から上方に延びている。テーパ壁部２９の上端縁は、下環状凹溝２３ｂよりも上方に位置している。
ボトル軸Ｏ方向に沿う縦断面視において、ストレート壁部３０の内周面は、ボトル軸Ｏと平行に延びている。ストレート壁部３０は、テーパ壁部２９よりもボトル軸Ｏ方向に小さい。
【００２７】
天壁部３１は、ヒール部２１の上端部よりも上側に位置している。天壁部３１は、平板状に形成され、水平面に沿って延びている。天壁部３１には、上方へ向けて窪む天壁凹部３２が形成されている。天壁凹部３２は、ボトル１内部に向けて突となる球面状に形成され、ボトル軸Ｏと同軸に配置されている。
ストレート壁部３０と天壁部３１との接続部分３０ａは、上方に向かうに従い漸次縮径している。接続部分３０ａは、ボトル軸Ｏ方向に沿う縦断面視において、ボトル１内部に向けて突となる曲線上に形成されている。
【００２８】
肩部１２は、胴部１３の上端部１３ａに連結されている。図２に示すように、肩部１２は、胴部１３の上端部１３ａからボトル径方向の内側に向けて延び、ボトル径方向の内側に向かうに従い漸次上方に向けて延びている。肩部１２は、胴部１３の上端部１３ａからボトル径方向の内側に延びる下肩部３４と、下肩部３４の内周縁部から上方に向けて延びる段筒部３５と、段筒部３５の上端部からボトル径方向の内側に向けて延びる上肩部３６と、を備えている。
【００２９】
下肩部３４は、ボトル径方向の内側に向かうに従い漸次、上側に向けて延びている。下肩部３４は、ボトル径方向の外側に位置する外周部３４Ａと、ボトル径方向の内側に位置する内周部３４Ｂと、を備えている。外周部３４Ａおよび内周部３４Ｂは、平板状に形成されている。ボトル軸Ｏ方向に沿う縦断面視において、外周部３４Ａおよび内周部３４Ｂはいずれも、水平面に対して傾斜している。外周部３４Ａの水平面に対する傾斜角度は、内周部３４Ｂの水平面に対する傾斜角度より大きい。
【００３０】
段筒部３５は、ボトル軸Ｏと平行に延びている。段筒部３５の外径は、下側陥没部２５Ａの内径と同等以下であり、上側陥没部２５Ｂの内径よりも大きい。なお、段筒部３５は、ボトル軸Ｏに対して傾斜して延びていてもよい。
段筒部３５の外周面には、立ち上がり壁部２７の内周面に形成された固定用雌ねじ部２に螺着可能な固定用雄ねじ部（雄ねじ部）３が形成されている。固定用雄ねじ部３は、段筒部３５の外周面に形成された複数の螺旋突条部３５ａにより構成されている。螺旋突条部３５ａは、ボトル径方向の外側に向けて突出し、ボトル軸Ｏ回りに螺旋状に延びている。
【００３１】
複数の螺旋突条部３５ａは、段筒部３５の外周面に、ボトル周方向に間隔を空けて配置されており、固定用雄ねじ部３は多条ねじとなっている。すなわち、複数の螺旋突条部３５ａは、段筒部３５の外周面における、ボトル軸Ｏ方向に沿う同じ位置に全て配置される。
図示の例では、螺旋突条部３５ａはボトル周方向に等間隔をあけて４つ形成されており、ボトル軸Ｏ方向から見た平面視において、螺旋突条部３５ａのボトル周方向に沿う長さは、互いに隣接する螺旋突条部３５ａ同士のボトル周方向に沿う間隔よりも大きくなっている。
なお、螺旋突条部３５ａのボトル周方向に沿う長さは、互いに隣接する螺旋突条部３５ａ同士のボトル周方向に沿う間隔と同等以下でもよい。
【００３２】
上肩部３６は、ボトル径方向の内側に向かうに従い漸次上側に向けて延びている。上肩部３６は、平板状に形成されている。ボトル軸Ｏ方向に沿う縦断面視において、上肩部３６は、水平面に対して傾斜している。上肩部３６の水平面に対する傾斜角度は、外周部３４Ａの水平面に対する傾斜角度よりも小さく、内周部３４Ｂの水平面に対する傾斜角度よりも大きい。
【００３３】
口部１１は、肩部１２の内周縁部から上方に向けて延びている。口部１１の下端部には、ボトル周方向の全周にわたって延びるネックリング３８が設けられている。口部１１においてネックリング３８よりも上側に位置する部分には、キャップ用雄ねじが形成されている。
【００３４】
口部１１には、その外周面がボトル軸Ｏ方向に沿って延びるキャップ３９が装着されている。キャップ３９の内周面には、前記キャップ用雄ねじに対応するキャップ用雌ねじが形成されている。キャップ３９は、口部１１に螺着されている。キャップ３９の外径は、ネックリング３８の外径と同等である。なお、キャップ３９の外径は、ネックリング３８の外径よりも大きくてもよいし、小さくてもよい。
キャップ３９の外周面は、全周にわたって連続して延びる円周面とされている。ボトル軸Ｏ方向に沿う縦断面視において、キャップ３９の外周面は、ボトル軸Ｏと平行に延びている。キャップ３９は、有頂筒状に形成されている。キャップ３９の頂壁部４０は、水平面に沿って延びている。キャップ３９の外径は、ストレート壁部３０の内径と同等以下となっている。
【００３５】
図２および図３に示すように、ボトル１はボトル軸Ｏ方向に積み重ね可能である。互いに積み重ねられた一対のボトル１Ａ、１Ｂのうち、上側のボトル１Ａ（当該ボトル）は、下側のボトル１Ｂ（当該ボトルとは異なる他のボトル）上に積み重ねられる。
この際、上側のボトル１Ａと、下側のボトル１Ｂとを、互いにボトル軸Ｏ回りに相対的に回転させながら、互いにボトル軸Ｏ方向に近接させる。これにより、上側のボトル１Ａにおける陥没部２５内に形成された固定用雌ねじ部２と、下側のボトル１Ｂにおける肩部１２に形成された固定用雄ねじ部３と、を、螺合させた状態で、上側のボトル１Ａの陥没部２５内に、下側のボトル１Ｂのキャップ３９、口部１１および肩部１２を進入させることができる。
【００３６】
図３に示すように、上側陥没部２５Ｂの内部には、下側のボトル１Ｂのキャップ３９が収容される。ストレート壁部３０は、下側のボトル１Ｂのキャップ３９とボトル径方向に対向する。ストレート壁部３０の内部には、頂壁部４０を含むキャップ３９の上端部が位置する。キャップ３９のうち、ストレート壁部３０内に位置する部分のボトル軸Ｏ方向に沿う大きさは、キャップ３９全体のボトル軸Ｏ方向に沿う大きさの半分以下である。
【００３７】
ストレート壁部３０の内周面は、キャップ３９の外周面に当接してもよく、離間してもよい。図示の例では、ストレート壁部３０の内周面とキャップ３９の外周面との間には、ボトル径方向の第１隙間Ｓ１が設けられる。第１隙間Ｓ１は、ボトル周方向の全周にわたって延びる。
【００３８】
キャップ３９の上面と天壁部３１の下面とは当接してもよく、離間してもよい。図示の例では、キャップ３９の上面と天壁部３１の下面との間には、ボトル軸Ｏ方向の第２隙間Ｓ２が設けられる。第２隙間Ｓ２は、キャップ３９の上面と天壁部３１の下面との間の全面にわたって延びる。第１隙間Ｓ１のボトル径方向の大きさは、第２隙間Ｓ２のボトル軸Ｏ方向の大きさと同等になっている。
【００３９】
下側陥没部２５Ａの内部には、下側のボトル１Ｂの肩部１２の一部が配置される。立ち上がり壁部２７および連結壁部２８はそれぞれ、段筒部３５および上肩部３６に倣って形成されていて、下側陥没部２５Ａの内部には、段筒部３５および上肩部３６が配置される。そして、接地部２４および下側陥没部２５Ａのうちの少なくとも一方は、下側のボトル１Ｂの肩部１２に肩部１２の上方から当接する。図示の例では、接地部２４が内周部３４Ｂ上に載置され、連結壁部２８は、肩部１２から離間している。
図示の例では、接地部２４は、内周部３４Ｂと面接触している。なお、接地部２４は、内周部３４Ｂと線接触していてもよい。
【００４０】
ここで、立ち上がり壁部２７の内周面は、段筒部３５の外周面とボトル径方向に対向している。また、立ち上がり壁部２７の螺旋係合部２７ａが、段筒部３５の複数の螺旋突条部３５ａに、螺旋突条部３５ａの下側から当接している。すなわち、上側のボトル１Ａにおいて、螺旋係合部２７ａにより構成される固定用雌ねじ部２と、下側のボトル１Ｂにおいて、螺旋突条部３５ａにより構成される固定用雄ねじ部３と、が螺合した状態となっている。
【００４１】
連結壁部２８の下面は、上肩部３６の上面とボトル軸Ｏ方向に対向する。連結壁部２８の下面と上肩部３６の上面との間には、ボトル軸Ｏ方向の第３隙間Ｓ３が設けられる。第３隙間Ｓ３は、ボトル周方向の全周にわたって延びている。
なお、第３隙間Ｓ３がなくてもよく、連結壁部２８の下面と、上肩部３６の上面と、が当接してもよい。
【００４２】
以上説明したように、本実施形態に係るボトル１によれば、当該ボトル１Ａを他のボトル１Ｂ上に積み重ねる際に、当該ボトル１Ａの陥没部２５内に、他のボトル１Ｂのキャップ３９、口部１１、および肩部１２を進入させるだけでなく、下側陥没部２５Ａ内に、他のボトル１Ｂの肩部１２を螺着することも可能になり、一対のボトル１Ａ、１Ｂのボトル径方向への相対的な移動を効果的に規制することができる。したがって、積み重ねられたボトル１Ａ、１Ｂが崩れるのを抑制することが可能になり、ボトル１Ａ、１Ｂを安定して積み重ねることができる。
また、固定用雄ねじ部３および固定用雌ねじ部２が多条ねじであるため、例えば、固定用雄ねじ部３および固定用雌ねじ部２が互いに螺合するボトル周方向に沿う距離を短くすることで、下側陥没部２５Ａ内に対して他のボトル１Ｂの肩部１２を着脱する際の相対的な両ボトル１Ａ、１Ｂの回転移動量を少なくした場合であっても、下側陥没部２５Ａ内に他のボトル１Ｂの肩部１２を強固に螺着させることができる。
【００４３】
また、立ち上がり壁部２７が接地部２４から上方に向けて延び、段筒部３５が下肩部３４から上方に向けて延びており、いずれもボトル軸Ｏ方向に沿って延びているので、当該ボトル１Ａを他のボトル１Ｂ上に積み重ねた状態で、立ち上がり壁部２７の内周面を、他のボトル１Ｂの段筒部３５の外周面と、ボトル径方向に対向させることが可能になる。
このため、積み重ねられた上下一対のボトル１Ａ、１Ｂに対して、ボトル径方向（横方向）に相対的に変位するような外力（横力）が加えられたときに、立ち上がり壁部２７の内周面と、段筒部３５の外周面と、が、ボトル径方向に突き当たることで、一対のボトル１Ａ、１Ｂのボトル径方向への相対的な移動をより一層確実に規制することができる。
【００４４】
なお、本発明の技術的範囲は前記実施形態に限定されるものではなく、本発明の趣旨を逸脱しない範囲において種々の変更を加えることが可能である。
【００４５】
例えば、上述した実施形態では、固定用雄ねじ部３および固定用雌ねじ部２が多条ねじである構成を示したが、このような態様に限られず、固定用雄ねじ部３および固定用雌ねじ部２は、１条ねじであってもよい。
また、上述した実施形態では、肩部１２が備える段筒部３５に固定用雄ねじ部３が形成され、下側陥没部２５Ａが備える立ち上がり壁部２７に固定用雌ねじ部２が形成される構成を示したが、この様な態様に限られない。肩部が段筒部を備えていなくてもよいし、下側陥没部が立ち上がり壁部を備えていなくてもよい。また、固定用雄ねじ部が、肩部の段筒部以外の部分に形成されていてもよいし、固定用雌ねじ部が、下側陥没部の立ち上がり壁部以外の部分に形成されていてもよい。
【００４６】
また、上述した実施形態では、ボトル１を積み重ねたときに、接地部２４が、下側のボトル１Ｂの肩部１２に当接する構成を示したが、この様な態様に限られない。例えば、接地部２４および連結壁部２８の両方が肩部１２に当接してもよく、連結壁部２８が肩部１２に当接しつつ接地部２４が肩部１２から離間してもよい。
【００４７】
また、上述した実施形態では、肩部１２、胴部１３の上面視形状、および底部１４の下面視形状（ボトル径方向に沿う横断面視形状）をそれぞれ円形状としたが、この様な態様に限られず、多角形状にする等、適宜変更してもよい。
さらに、上述した実施形態では、ボトル１を二段に積み重ねる構成を示したが、この様な態様に限られず、三段以上の複数段積み重ねても構わない。
【００４８】
また、ボトル１を形成する合成樹脂材料は、例えばポリエチレンテレフタレートや、ポリエチレンナフタレート、非晶性ポリエステル等、またはこれらのブレンド材料等、適宜変更してもよい。
さらに、ボトル１は単層構造体に限らず中間層を有する積層構造体としてもよい。この中間層としては、例えばガスバリア性を有する樹脂材料からなる層、再生材からなる層、若しくは酸素吸収性を有する樹脂材料からなる層等が挙げられる。
【００４９】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５０】
１、１Ａ、１Ｂ ボトル
２  固定用雌ねじ部（雌ねじ部）
３  固定用雄ねじ部（雄ねじ部）
１１   口部
１２   肩部
１３   胴部
１４   底部
２２   底壁部
２４   接地部
２５   陥没部
２５Ａ 下側陥没部
２５Ｂ 上側陥没部
２７   立ち上がり壁部
３５   段筒部
３９   キャップ
Ｏ     ボトル軸
【図１】
2017154759.tif 000003
【図２】
2017154759.tif 000004
【図３】
2017154759.tif 000005